(57)【要約】【課題】本発明はＴシャツアイロンかけ装置を開示した。【解決手段】主体を含み、前記主体の中にはエネルギー蓄積装置と動力装置とが設置され、前記エネルギー蓄積装置の下端には加熱アイロンかけ装置と蒸気アイロンかけ装置とが連結され、前記動力装置は下方に開口して前記主体の中に設置されるスライドチャンバを含み、前記スライドチャンバの中にはねじロッドが回転できるように設置され、前記スライドチャンバの左側内壁の中にはモータが固定的に設置され、本発明は構造が簡単で、操作が便利であり、加熱と蒸気を利用してアイロンをかける二つの方式によりＴシャツにアイロンをかけることができ、また加熱を利用しアイロンをかけることはアイロン台の温度を変えられ、Ｔシャツを壊すことを回避できる。【選択図】図１
2020151435.tif 000002
【特許請求の範囲】
【請求項１】
主体を含み、前記主体の中にはエネルギー蓄積装置と動力装置とが設置され、前記エネルギー蓄積装置の下端には加熱アイロンかけ装置と蒸気アイロンかけ装置とが連結され、前記動力装置は下方に開口して前記主体の中に設置されるスライドチャンバを含み、前記スライドチャンバの中にはねじロッドが回転できるように設置され、前記スライドチャンバの左側内壁の中にはモータが固定的に設置され、前記ねじロッドが前記モータに動力が伝達できるように連結され、前記スライドチャンバの中にはスライドブロックがスライドできるように設置され、前記スライドブロックの中にはねじ穴が左右に貫通して設置され、前記ねじロッドが前記ねじ穴を通して前記ねじ穴とねじ山によって連結され、前記スライドブロックの中には電池が固定的に設置され、前記電池の左右両端にはそれぞれ導電ロッドが電気的に接続され、前記スライドブロックの中には開口方向が逆である連結溝が左右に対称的に設置され、両側の前記導電ロッドがそれぞれ前記連結溝の中に差し込み、前記スライドチャンバの上側内壁にはリミットブロックが左右に対称的に固定的に設置される；前記導電ロッドと前記連結溝とが前記エネルギー蓄積装置と連結し、且つ前記エネルギー蓄積装置を通電させ、それと同時に前記モータを起動し、前記ねじロッドにより前記スライドブロックを連動させスライドさせ、前記スライドブロックが前記リミットブロックと接触する時、前記モータの回転方向を変えることを特徴とするＴシャツアイロンかけ装置。
【請求項２】
前記エネルギー蓄積装置は前記スライドブロックの両側に左右に対称的にスライドできるように設置される取り付けブロックを含み、前記取り付けブロックの中には抜き穴が左右に貫通して設置され、前記ねじロッドが前記抜き穴を通し、前記抜き穴のうち中心に近接する端面の中には導電ブロックが固定的に設置され、前記導電ブロックが前記導電ロッドに正対し、両側の前記導電ブロックの中には導電穴が開口が相対して設置され、両側の前記取り付けブロックの中には紐溝が下方に開口して設置され、前記紐溝の他の側が前記導電ブロックに連通し、前記紐溝の中には導線輪が回転できるように設置され、前記導線輪には電線が巻き付いており、前記電線の一端が前記導電ブロックに電気的に接続され、前記電線の下端が前記加熱アイロンかけ装置と前記蒸気アイロンかけ装置に電気的に接続され、前記スライドチャンバの左右両側の内壁には固定ブロックが対称的に固定的に連結される；前記取り付けブロックをスライドさせ、前記導電ロッドに前記導電穴の中に差し込ませ、且つ前記導電ブロックと電気的に接続させ、この時に前記電線を通電させることを特徴とする請求項１に記載のＴシャツアイロンかけ装置。
【請求項３】
前記蒸気アイロンかけ装置は右側の前記取り付けブロックの下端に固定的に連結される貯水ブロックを含み、前記貯水ブロックの中には貯水チャンバが上方に開口して設置され、前記貯水チャンバの内壁には加熱ブロックが固定的に設置され、右側の前記電線の下端が前記加熱ブロックに電気的に接続され、前記加熱ブロックと前記貯水ブロックの中の下側には水通し穴が上下に貫通し設置され、前記貯水ブロックの下端には右連結ロッドが固定的に連結され、前記右連結ロッドの中にはエアガイド溝が上下に貫通して設置され、前記エアガイド溝の中の上側には密封ブロックがスライドできるように設置され、前記エアガイド溝の左右両側の内壁の中にはリセットチャンバが対称的に連通し設置され、前記リセットチャンバの中にはリセットブロックがスライドできるように設置され、前記リセットブロックが前記密封ブロックに固定的に連結され、前記リセットブロックの下端と前記リセットチャンバの下側内壁との間には戻しばねが固定的に連結され、前記右連結ロッドの下側には右ガイドブロックがスライドできるように連結され、前記右ガイドブロックの中には右ガイド穴が上方に開口して設置され、前記右連結ロッドの下端が前記右ガイド穴の中に延びて差し込まれ、前記右連結ロッドの下端と前記右ガイド穴の下側内壁との間には右ばねが固定的に連結され、前記右ガイドブロックの下端にはスチームアイロンが固定的に連結され、前記スチームアイロンの中には蒸気排出道が上下に貫通し設置され、前記蒸気排出道が上へ前記右ガイド穴に連通し、前記スチームアイロンの下端にはスチームアイロン台が固定的に連結される；前記エネルギー蓄積装置により前記加熱ブロックが通電し、且つ前記貯水チャンバの中の水が蒸発し、圧力を増大した後に前記密封ブロックをプッシュし下へスライドさせ、それにより前記水通し穴と前記エアガイド溝とを連通し、蒸気が前記エアガイド溝の中に入り、且つ前記スチームアイロン台によりＴシャツに蒸気を利用しアイロンをかけることを特徴とする請求項１又は請求項２に記載のＴシャツアイロンかけ装置。
【請求項４】
前記加熱アイロンかけ装置は左側の前記取り付けブロックの下端に固定的に連結される左連結ロッドを含み、前記紐溝が前記左連結ロッドを貫通し、前記左連結ロッドの下側には左ガイドブロックがスライドできるように連結され、前記左ガイドブロックの中には左ガイド穴が上方に開口して設置され、前記左連結ロッドが前記左ガイド穴の中に差し込まれ、前記左連結ロッドの下端と前記左ガイド穴の下側内壁との間には左ばねが固定的に連結され、前記左ガイドブロックの下端には加熱アイロンが固定的に連結され、前記加熱アイロンの中には伝送ベルトチャンバが下方に開口して設置され、前記紐溝の下側が前記伝送ベルトチャンバに連通し、前記伝送ベルトチャンバの中には右プーリと左プーリとが回転できるように設置され、前記右プーリと前記左プーリとの間には伝送ベルトが連結され、前記伝送ベルトには上熱伝導ブロックが固定的に連結され、前記電線の下端が前記伝送ベルトチャンバの中に差し込まれ、且つ前記上熱伝導ブロックに電気的に接続され、前記加熱アイロンの下端には加熱アイロン台が固定的に連結され、前記加熱アイロン台の上端面の中には下熱伝導ブロックが固定的に設置され、前記上熱伝導ブロックの下端が前記下熱伝導ブロックに当接し、前記左プーリの中には下連結軸が固定的に連結され、前記左プーリの前側には下プーリが回転できるように設置され、前記下プーリが前記下連結軸に固定的に連結され、前記伝送ベルトチャンバの上側内壁の中には上方に開口した調節チャンバが連通し設置され、前記調節チャンバの中には調節輪と上プーリとが回転できるように設置され、前記下プーリと前記上プーリとの間には同期ベルトが連結され、前記調節輪と前記上プーリとの間には上連結軸が固定的に連結される；前記電線により前記上熱伝導ブロックを通電させ、前記調節輪を回転させ、ベルト伝動により前記上熱伝導ブロックと前記下熱伝導ブロックとの間の接触面積を調整し、それにより前記加熱アイロン台を加熱することによりＴシャツに加熱を利用しアイロンをかけることを特徴とする請求項１又は請求項２に記載のＴシャツアイロンかけ装置。
【請求項５】
前記主体の中には回転軸が回転できるように設置され、前記回転軸には物干し桶が固定的に連結される；Ｔシャツを前記物干し桶に置き、前記物干し桶を回転させてＴシャンに全般にアイロンをかけることができることを特徴とする請求項１又は請求項２又は請求項３又は請求項４に記載のＴシャツアイロンかけ装置。
【発明の詳細な説明】
【技術分野】
【０００１】
本発明は衣服と装身具分野に関わり、具体的にはＴシャツアイロンかけ装置である。
【背景技術】
【０００２】
Ｔシャツはよくある服であり、Ｔシャツを常に換えてクリーニングする必要があり、したがってＴシャツにしわが出て、この時にＴシャツにアイロンをかける必要があり、Ｔシャツの材質が異なることにより、アイロンをかける方式も異なり、そのため、二種類のアイロンかけ方式を備えるＴシャツアイロンかけ装置を設計する必要があり、本装置は加熱と蒸気を利用してアイロンをかける二つの方式でＴシャツにアイロンかけをし、また加熱を利用しアイロンをかけることはアイロン台の温度を変えられ、Ｔシャツを壊すことを回避でき、その他、複数の服に同時にアイロンをかけることもでき、アイロンかけの効率と品質を高める。
【先行技術文献】
【特許文献】
【０００３】
【特許文献１】中国特許出願公開第１０８６４２８３９号明細書
【発明の概要】
【発明が解決しようとする課題】
【０００４】
本発明の解決しようとする問題はＴシャツアイロンかけ装置を提供し、既存技術にある上記欠点を解決する。
【課題を解決するための手段】
【０００５】
本発明は以下の技術方案により実現される：本発明のＴシャツアイロンかけ装置は、主体を含み、前記主体の中にはエネルギー蓄積装置と動力装置とが設置され、前記エネルギー蓄積装置の下端には加熱アイロンかけ装置と蒸気アイロンかけ装置とが連結され、前記動力装置は下方に開口して前記主体の中に設置されるスライドチャンバを含み、前記スライドチャンバの中にはねじロッドが回転できるように設置され、前記スライドチャンバの左側内壁の中にはモータが固定的に設置され、前記ねじロッドが前記モータに動力が伝達できるように連結され、前記スライドチャンバの中にはスライドブロックがスライドできるように設置され、前記スライドブロックの中にはねじ穴が左右に貫通して設置され、前記ねじロッドが前記ねじ穴を通して前記ねじ穴とねじ山によって連結され、前記スライドブロックの中には電池が固定的に設置され、前記電池の左右両端にはそれぞれ導電ロッドが電気的に接続され、前記スライドブロックの中には開口方向が逆である連結溝が左右に対称的に設置され、両側の前記導電ロッドがそれぞれ前記連結溝の中に差し込み、前記スライドチャンバの上側内壁にはリミットブロックが左右に対称的に固定的に設置される；前記導電ロッドと前記連結溝とが前記エネルギー蓄積装置と連結し、且つ前記エネルギー蓄積装置を通電させ、それと同時に前記モータを起動し、前記ねじロッドにより前記スライドブロックを連動させスライドさせ、前記スライドブロックが前記リミットブロックと接触する時、前記モータの回転方向を変える。
【０００６】
さらなる技術方案には、前記エネルギー蓄積装置は前記スライドブロックの両側に左右に対称的にスライドできるように設置される取り付けブロックを含み、前記取り付けブロックの中には抜き穴が左右に貫通して設置され、前記ねじロッドが前記抜き穴を通し、前記抜き穴のうち中心に近接する端面の中には導電ブロックが固定的に設置され、前記導電ブロックが前記導電ロッドに正対し、両側の前記導電ブロックの中には導電穴が開口が相対して設置され、両側の前記取り付けブロックの中には紐溝が下方に開口して設置され、前記紐溝の他の側が前記導電ブロックに連通し、前記紐溝の中には導線輪が回転できるように設置され、前記導線輪には電線が巻き付いており、前記電線の一端が前記導電ブロックに電気的に接続され、前記電線の下端が前記加熱アイロンかけ装置と前記蒸気アイロンかけ装置に電気的に接続され、前記スライドチャンバの左右両側の内壁には固定ブロックが対称的に固定的に連結される；前記取り付けブロックをスライドさせ、前記導電ロッドに前記導電穴の中に差し込ませ、且つ前記導電ブロックと電気的に接続させ、この時に前記電線を通電させる。
【０００７】
さらなる技術方案には、前記蒸気アイロンかけ装置は右側の前記取り付けブロックの下端に固定的に連結される貯水ブロックを含み、前記貯水ブロックの中には貯水チャンバが上方に開口して設置され、前記貯水チャンバの内壁には加熱ブロックが固定的に設置され、右側の前記電線の下端が前記加熱ブロックに電気的に接続され、前記加熱ブロックと前記貯水ブロックの中の下側には水通し穴が上下に貫通し設置され、前記貯水ブロックの下端には右連結ロッドが固定的に連結され、前記右連結ロッドの中にはエアガイド溝が上下に貫通して設置され、前記エアガイド溝の中の上側には密封ブロックがスライドできるように設置され、前記エアガイド溝の左右両側の内壁の中にはリセットチャンバが対称的に連通し設置され、前記リセットチャンバの中にはリセットブロックがスライドできるように設置され、前記リセットブロックが前記密封ブロックに固定的に連結され、前記リセットブロックの下端と前記リセットチャンバの下側内壁との間には戻しばねが固定的に連結され、前記右連結ロッドの下側には右ガイドブロックがスライドできるように連結され、前記右ガイドブロックの中には右ガイド穴が上方に開口して設置され、前記右連結ロッドの下端が前記右ガイド穴の中に延びて差し込まれ、前記右連結ロッドの下端と前記右ガイド穴の下側内壁との間には右ばねが固定的に連結され、前記右ガイドブロックの下端にはスチームアイロンが固定的に連結され、前記スチームアイロンの中には蒸気排出道が上下に貫通し設置され、前記蒸気排出道が上へ前記右ガイド穴に連通し、前記スチームアイロンの下端にはスチームアイロン台が固定的に連結される；前記エネルギー蓄積装置により前記加熱ブロックが通電し、且つ前記貯水チャンバの中の水が蒸発し、圧力を増大した後に前記密封ブロックをプッシュし下へスライドさせ、それにより前記水通し穴と前記エアガイド溝とを連通し、蒸気が前記エアガイド溝の中に入り、且つ前記スチームアイロン台によりＴシャツに蒸気を利用しアイロンをかける。
【０００８】
さらなる技術方案には、前記加熱アイロンかけ装置は左側の前記取り付けブロックの下端に固定的に連結される左連結ロッドを含み、前記紐溝が前記左連結ロッドを貫通し、前記左連結ロッドの下側には左ガイドブロックがスライドできるように連結され、前記左ガイドブロックの中には左ガイド穴が上方に開口して設置され、前記左連結ロッドが前記左ガイド穴の中に差し込まれ、前記左連結ロッドの下端と前記左ガイド穴の下側内壁との間には左ばねが固定的に連結され、前記左ガイドブロックの下端には加熱アイロンが固定的に連結され、前記加熱アイロンの中には伝送ベルトチャンバが下方に開口して設置され、前記紐溝の下側が前記伝送ベルトチャンバに連通し、前記伝送ベルトチャンバの中には右プーリと左プーリとが回転できるように設置され、前記右プーリと前記左プーリとの間には伝送ベルトが連結され、前記伝送ベルトには上熱伝導ブロックが固定的に連結され、前記電線の下端が前記伝送ベルトチャンバの中に差し込まれ、且つ前記上熱伝導ブロックに電気的に接続され、前記加熱アイロンの下端には加熱アイロン台が固定的に連結され、前記加熱アイロン台の上端面の中には下熱伝導ブロックが固定的に設置され、前記上熱伝導ブロックの下端が前記下熱伝導ブロックに当接し、前記左プーリの中には下連結軸が固定的に連結され、前記左プーリの前側には下プーリが回転できるように設置され、前記下プーリが前記下連結軸に固定的に連結され、前記伝送ベルトチャンバの上側内壁の中には上方に開口した調節チャンバが連通し設置され、前記調節チャンバの中には調節輪と上プーリとが回転できるように設置され、前記下プーリと前記上プーリとの間には同期ベルトが連結され、前記調節輪と前記上プーリとの間には上連結軸が固定的に連結される；前記電線により前記上熱伝導ブロックを通電させ、前記調節輪を回転させ、ベルト伝動により前記上熱伝導ブロックと前記下熱伝導ブロックとの間の接触面積を調整し、それにより前記加熱アイロン台を加熱することによりＴシャツに加熱を利用しアイロンをかける。
【０００９】
さらなる技術方案には、前記主体の中には回転軸が回転できるように設置され、前記回転軸には物干し桶が固定的に連結される；Ｔシャツを前記物干し桶に置き、前記物干し桶を回転させてＴシャンに全般にアイロンをかけることができる。
【発明の効果】
【００１０】
本発明の有益な効果は：本発明は構造が簡単で、操作が便利であり、加熱と蒸気を利用してアイロンをかける二つの方式によりＴシャツにアイロンをかけることができ、また加熱を利用しアイロンをかけることはアイロン台の温度を変えられ、Ｔシャツを壊すことを回避でき、その他、複数の衣服に同時にアイロンをかけることもでき、アイロンかけの効率と品質を高める。
【図面の簡単な説明】
【００１１】
【図１】図１は本発明のＴシャツアイロンかけ装置の内部構成概略図である；
【図２】図２は図１の「Ａ」の拡大概略図である；
【図３】図３は図１の「Ｂ」の拡大概略図である；
【図４】図４は図１の「Ｃ」の拡大概略図である；
【図５】図５は図１の「Ｄ」の拡大概略図である；
【図６】図６は図４の「Ｅ−Ｅ」方向の構成概略図である。
【発明を実施するための形態】
【００１２】
下記に図１−６を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１３】
図１−６を参照し、本発明のＴシャツアイロンかけ装置は、主体１１を含み、前記主体１１の中にはエネルギー蓄積装置１０２と動力装置１０３とが設置され、前記エネルギー蓄積装置１０２の下端には加熱アイロンかけ装置１００と蒸気アイロンかけ装置１０１とが連結され、前記動力装置１０３は下方に開口して前記主体１１の中に設置されるスライドチャンバ１４を含み、前記スライドチャンバ１４の中にはねじロッド１６が回転できるように設置され、前記スライドチャンバ１４の左側内壁の中にはモータ１２が固定的に設置され、前記ねじロッド１６が前記モータ１２に動力が伝達できるように連結され、前記スライドチャンバ１４の中にはスライドブロック１５がスライドできるように設置され、前記スライドブロック１５の中にはねじ穴２０が左右に貫通して設置され、前記ねじロッド１６が前記ねじ穴２０を通して前記ねじ穴２０とねじ山によって連結され、前記スライドブロック１５の中には電池１８が固定的に設置され、前記電池１８の左右両端にはそれぞれ導電ロッド１９が電気的に接続され、前記スライドブロック１５の中には開口方向が逆である連結溝１７が左右に対称的に設置され、両側の前記導電ロッド１９がそれぞれ前記連結溝１７の中に差し込み、前記スライドチャンバ１４の上側内壁にはリミットブロック１３が左右に対称的に固定的に設置される；前記導電ロッド１９と前記連結溝１７とが前記エネルギー蓄積装置１０２と連結し、且つ前記エネルギー蓄積装置１０２を通電させ、それと同時に前記モータ１２を起動し、前記ねじロッド１６により前記スライドブロック１５を連動させスライドさせ、前記スライドブロック１５が前記リミットブロック１３と接触する時、前記モータ１２の回転方向を変える。
【００１４】
有益なように、前記エネルギー蓄積装置１０２は前記スライドブロック１５の両側に左右に対称的にスライドできるように設置される取り付けブロック２５を含み、前記取り付けブロック２５の中には抜き穴３１が左右に貫通して設置され、前記ねじロッド１６が前記抜き穴３１を通し、前記抜き穴３１のうち中心に近接する端面の中には導電ブロック２９が固定的に設置され、前記導電ブロック２９が前記導電ロッド１９に正対し、両側の前記導電ブロック２９の中には導電穴３０が開口が相対して設置され、両側の前記取り付けブロック２５の中には紐溝２８が下方に開口して設置され、前記紐溝２８の他の側が前記導電ブロック２９に連通し、前記紐溝２８の中には導線輪２７が回転できるように設置され、前記導線輪２７には電線２６が巻き付いており、前記電線２６の一端が前記導電ブロック２９に電気的に接続され、前記電線２６の下端が前記加熱アイロンかけ装置１００と前記蒸気アイロンかけ装置１０１に電気的に接続され、前記スライドチャンバ１４の左右両側の内壁には固定ブロック２３が対称的に固定的に連結される；前記取り付けブロック２５をスライドさせ、前記導電ロッド１９に前記導電穴３０の中に差し込ませ、且つ前記導電ブロック２９と電気的に接続させ、この時に前記電線２６を通電させる。
【００１５】
有益なように、前記蒸気アイロンかけ装置１０１は右側の前記取り付けブロック２５の下端に固定的に連結される貯水ブロック３３を含み、前記貯水ブロック３３の中には貯水チャンバ３５が上方に開口して設置され、前記貯水チャンバ３５の内壁には加熱ブロック３４が固定的に設置され、右側の前記電線２６の下端が前記加熱ブロック３４に電気的に接続され、前記加熱ブロック３４と前記貯水ブロック３３の中の下側には水通し穴３６が上下に貫通し設置され、前記貯水ブロック３３の下端には右連結ロッド３７が固定的に連結され、前記右連結ロッド３７の中にはエアガイド溝３８が上下に貫通して設置され、前記エアガイド溝３８の中の上側には密封ブロック３９がスライドできるように設置され、前記エアガイド溝３８の左右両側の内壁の中にはリセットチャンバ４０が対称的に連通し設置され、前記リセットチャンバ４０の中にはリセットブロック４１がスライドできるように設置され、前記リセットブロック４１が前記密封ブロック３９に固定的に連結され、前記リセットブロック４１の下端と前記リセットチャンバ４０の下側内壁との間には戻しばね４２が固定的に連結され、前記右連結ロッド３７の下側には右ガイドブロック６１がスライドできるように連結され、前記右ガイドブロック６１の中には右ガイド穴６２が上方に開口して設置され、前記右連結ロッド３７の下端が前記右ガイド穴６２の中に延びて差し込まれ、前記右連結ロッド３７の下端と前記右ガイド穴６２の下側内壁との間には右ばね６３が固定的に連結され、前記右ガイドブロック６１の下端にはスチームアイロン６５が固定的に連結され、前記スチームアイロン６５の中には蒸気排出道６４が上下に貫通し設置され、前記蒸気排出道６４が上へ前記右ガイド穴６２に連通し、前記スチームアイロン６５の下端にはスチームアイロン台６６が固定的に連結される；前記エネルギー蓄積装置１０２により前記加熱ブロック３４が通電し、且つ前記貯水チャンバ３５の中の水が蒸発し、圧力を増大した後に前記密封ブロック３９をプッシュし下へスライドさせ、それにより前記水通し穴３６と前記エアガイド溝３８とを連通し、蒸気が前記エアガイド溝３８の中に入り、且つ前記スチームアイロン台６６によりＴシャツに蒸気を利用しアイロンをかける。
【００１６】
有益なように、前記加熱アイロンかけ装置１００は左側の前記取り付けブロック２５の下端に固定的に連結される左連結ロッド３２を含み、前記紐溝２８が前記左連結ロッドを貫通し、前記左連結ロッド３２の下側には左ガイドブロック４３がスライドできるように連結され、前記左ガイドブロック４３の中には左ガイド穴４４が上方に開口して設置され、前記左連結ロッド３２が前記左ガイド穴４４の中に差し込まれ、前記左連結ロッド３２の下端と前記左ガイド穴４４の下側内壁との間には左ばね４５が固定的に連結され、前記左ガイドブロック４３の下端には加熱アイロン４７が固定的に連結され、前記加熱アイロン４７の中には伝送ベルトチャンバ４８が下方に開口して設置され、前記紐溝２８の下側が前記伝送ベルトチャンバ４８に連通し、前記伝送ベルトチャンバ４８の中には右プーリ５１と左プーリ６７とが回転できるように設置され、前記右プーリ５１と前記左プーリ６７との間には伝送ベルト５３が連結され、前記伝送ベルト５３には上熱伝導ブロック５２が固定的に連結され、前記電線２６の下端が前記伝送ベルトチャンバ４８の中に差し込まれ、且つ前記上熱伝導ブロック５２に電気的に接続され、前記加熱アイロン４７の下端には加熱アイロン台５０が固定的に連結され、前記加熱アイロン台５０の上端面の中には下熱伝導ブロック４９が固定的に設置され、前記上熱伝導ブロック５２の下端が前記下熱伝導ブロック４９に当接し、前記左プーリ６７の中には下連結軸５５が固定的に連結され、前記左プーリ６７の前側には下プーリ５４が回転できるように設置され、前記下プーリ５４が前記下連結軸５５に固定的に連結され、前記伝送ベルトチャンバ４８の上側内壁の中には上方に開口した調節チャンバ６０が連通し設置され、前記調節チャンバ６０の中には調節輪５９と上プーリ５８とが回転できるように設置され、前記下プーリ５４と前記上プーリ５８との間には同期ベルト５６が連結され、前記調節輪５９と前記上プーリ５８との間には上連結軸５７が固定的に連結される；前記電線２６により前記上熱伝導ブロック５２を通電させ、前記調節輪５９を回転させ、ベルト伝動により前記上熱伝導ブロック５２と前記下熱伝導ブロック４９との間の接触面積を調整し、それにより前記加熱アイロン台５０を加熱することによりＴシャツに加熱を利用しアイロンをかける。
【００１７】
有益なように、前記主体１１の中には回転軸２１が回転できるように設置され、前記回転軸２１には物干し桶２２が固定的に連結される；Ｔシャツを前記物干し桶２２に置き、前記物干し桶２２を回転させてＴシャンに全般にアイロンをかけることができる。
【００１８】
使用する時、Ｔシャツを物干し桶２２に置き、物干し桶２２を回転させてＴシャンに全般にアイロンをかけることができ、Ｔシャツの材質により対応の側の取り付けブロック２５をスライドさせ、それと同時に両側の取り付けブロック２５をスライドさせることもでき、導電ロッド１９が導電穴３０の中に入り、且つ導電ブロック２９と電気的に接続され、この時に電線２６を通電させ、それと同時にモータ１２を起動し、ねじロッド１６によりスライドブロック１５を連動させスライドさせ、スライドブロック１５がリミットブロック１３と接触する時、モータ１２の回転方向を変え、蒸気を利用してアイロンをかける時に電線２６により加熱ブロック３４を通電させ、また貯水チャンバ３５の中の水を蒸発させ、圧力を増大した後に密封ブロック３９をプッシュして下へスライドさせ、それにより水通し穴３６とエアガイド溝３８とを連通し、蒸気がエアガイド溝３８の中に入り、且つスチームアイロン台６６によりＴシャツにアイロンをかけ、アイロンをかける時に電線２６により上熱ガイドブロック５２を通電させ、調節輪５９を回転させ、ベルト伝動により前記上熱伝導ブロック５２と前記下熱伝導ブロック４９との間の接触面積を調整し、それにより前記加熱アイロン台５０を加熱することによりＴシャツに加熱を利用しアイロンをかける。
【００１９】
有益な効果は：本発明は構造が簡単で、操作が便利であり、加熱と蒸気を利用してアイロンをかける二つの方式によりＴシャツにアイロンをかけることができ、また加熱を利用しアイロンをかけることはアイロン台の温度を変えられ、Ｔシャツを壊すことを回避でき、その他、複数の衣服に同時にアイロンをかけることもでき、アイロンかけの効率と品質を高める。
【００２０】
当業者は明確できるのは、本発明の総体精神及び構想から離脱しない限り、以上の実施例に対して各種の変型を行うことができる。それらの変型はいずれも本発明の保護範囲に含む。本発明の保護方案は発明に添付した特許請求の範囲を基準とするべきである。
【図１】
2020151435.tif 000003
【図２】
2020151435.tif 000004
【図３】
2020151435.tif 000005
【図４】
2020151435.tif 000006
【図５】
2020151435.tif 000007
【図６】
2020151435.tif 000008
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
主体を含み、前記主体の中にはエネルギー転換装置と動力装置とが設置され、前記エネルギー転換装置の下端には加熱アイロンかけ装置と蒸気アイロンかけ装置とが連結され、前記動力装置は下方に開口して前記主体の中に設置されるスライドチャンバを含み、前記スライドチャンバの中にはねじロッドが回転できるように設置され、前記スライドチャンバの左側内壁の中にはモータが固定的に設置され、前記モータが前記ねじロッドに動力が伝達できるように連結され、前記スライドチャンバの中にはスライドブロックがスライドできるように設置され、前記スライドブロックの中にはねじ穴が左右に貫通して設置され、前記ねじロッドが前記ねじ穴を通して前記ねじ穴とねじ山によって連結され、前記スライドブロックの中には電池が固定的に設置され、前記電池の左右両端にはそれぞれ導電ロッドが電気的に接続され、前記スライドブロックの中には開口方向が逆である連結溝が左右に対称的に設置され、両側の前記導電ロッドがそれぞれ前記連結溝の中に差し込み、前記スライドチャンバの上側内壁にはリミットブロックが左右に対称的に固定的に設置されており、
前記導電ロッドと前記連結溝とが前記エネルギー転換装置と連結し、且つ前記エネルギー転換装置を通電させ、それと同時に前記モータを起動し、前記ねじロッドにより前記スライドブロックを連動させスライドさせ、前記スライドブロックが前記リミットブロックと接触する時、前記モータの回転方向を変え、
前記エネルギー転換装置は前記スライドブロックの両側に左右に対称的にスライドできるように設置される取り付けブロックを含み、前記取り付けブロックの中には抜き穴が左右に貫通して設置され、前記ねじロッドが前記抜き穴を通し、前記抜き穴のうち中心に近接する端面の中には導電ブロックが固定的に設置され、前記導電ブロックが前記導電ロッドに正対し、両側の前記導電ブロックの中には導電穴が開口が相対して設置され、両側の前記取り付けブロックの中には紐溝が下方に開口して設置され、前記紐溝の他の側が前記導電ブロックに連通し、前記紐溝の中には導線輪が回転できるように設置され、前記導線輪には電線が巻き付いており、前記電線の一端が前記導電ブロックに電気的に接続され、前記電線の下端が前記加熱アイロンかけ装置と前記蒸気アイロンかけ装置に電気的に接続され、前記スライドチャンバの左右両側の内壁には固定ブロックが対称的に固定的に連結されており、
前記取り付けブロックをスライドさせ、前記導電ロッドに前記導電穴の中に差し込ませ、且つ前記導電ブロックと電気的に接続させ、この時に前記電線を通電させ、
前記蒸気アイロンかけ装置は右側の前記取り付けブロックの下端に固定的に連結される貯水ブロックを含み、前記貯水ブロックの中には貯水チャンバが上方に開口して設置され、前記貯水チャンバの内壁には加熱ブロックが固定的に設置され、右側の前記電線の下端が前記加熱ブロックに電気的に接続され、前記加熱ブロックと前記貯水ブロックの中の下側には水通し穴が上下に貫通し設置され、前記貯水ブロックの下端には右連結ロッドが固定的に連結され、前記右連結ロッドの中にはエアガイド溝が上下に貫通して設置され、前記エアガイド溝の中の上側には密封ブロックがスライドできるように設置され、前記エアガイド溝の左右両側の内壁の中にはリセットチャンバが対称的に連通し設置され、前記リセットチャンバの中にはリセットブロックがスライドできるように設置され、前記リセットブロックが前記密封ブロックに固定的に連結され、前記リセットブロックの下端と前記リセットチャンバの下側内壁との間には戻しばねが固定的に連結され、前記右連結ロッドの下側には右ガイドブロックがスライドできるように連結され、前記右ガイドブロックの中には右ガイド穴が上方に開口して設置され、前記右連結ロッドの下端が前記右ガイド穴の中に延びて差し込まれ、前記右連結ロッドの下端と前記右ガイド穴の下側内壁との間には右ばねが固定的に連結され、前記右ガイドブロックの下端にはスチームアイロンが固定的に連結され、前記スチームアイロンの中には蒸気排出道が上下に貫通し設置され、前記蒸気排出道が上へ前記右ガイド穴に連通し、前記スチームアイロンの下端にはスチームアイロン台が固定的に連結されており、
前記エネルギー転換装置により前記加熱ブロックが通電し、且つ前記貯水チャンバの中の水が蒸発し、圧力を増大した後に前記密封ブロックをプッシュし下へスライドさせ、それにより前記水通し穴と前記エアガイド溝とを連通し、蒸気が前記エアガイド溝の中に入り、且つ前記スチームアイロン台によりＴシャツに蒸気を利用しアイロンをかけ、
前記加熱アイロンかけ装置は左側の前記取り付けブロックの下端に固定的に連結される左連結ロッドを含み、前記紐溝が前記左連結ロッドを貫通し、前記左連結ロッドの下側には左ガイドブロックがスライドできるように連結され、前記左ガイドブロックの中には左ガイド穴が上方に開口して設置され、前記左連結ロッドが前記左ガイド穴の中に差し込まれ、前記左連結ロッドの下端と前記左ガイド穴の下側内壁との間には左ばねが固定的に連結され、前記左ガイドブロックの下端には加熱アイロンが固定的に連結され、前記加熱アイロンの中には伝送ベルトチャンバが下方に開口して設置され、前記紐溝の下側が前記伝送ベルトチャンバに連通し、前記伝送ベルトチャンバの中には右プーリと左プーリとが回転できるように設置され、前記右プーリと前記左プーリとの間には伝送ベルトが連結され、前記伝送ベルトには上熱伝導ブロックが固定的に連結され、前記電線の下端が前記伝送ベルトチャンバの中に差し込まれ、且つ前記上熱伝導ブロックに電気的に接続され、前記加熱アイロンの下端には加熱アイロン台が固定的に連結され、前記加熱アイロン台の上端面の中には下熱伝導ブロックが固定的に設置され、前記上熱伝導ブロックの下端が前記下熱伝導ブロックに当接し、前記左プーリの中には下連結軸が固定的に連結され、前記左プーリの前側には下プーリが回転できるように設置され、前記下プーリが前記下連結軸に固定的に連結され、前記伝送ベルトチャンバの上側内壁の中には上方に開口した調節チャンバが連通し設置され、前記調節チャンバの中には調節輪と上プーリとが回転できるように設置され、前記下プーリと前記上プーリとの間には同期ベルトが連結され、前記調節輪と前記上プーリとの間には上連結軸が固定的に連結されており、
前記電線により前記上熱伝導ブロックを通電させ、前記調節輪を回転させ、ベルト伝動により前記上熱伝導ブロックと前記下熱伝導ブロックとの間の接触面積を調整し、それにより前記加熱アイロン台を加熱することによりＴシャツに加熱を利用しアイロンをかけ、
前記主体の中には回転軸が回転できるように設置され、前記回転軸には物干し桶が固定的に連結されており、
Ｔシャツを前記物干し桶に置き、前記物干し桶を回転させてＴシャツに全般にアイロンをかけることができることを特徴とするＴシャツアイロンかけ装置。
【手続補正２】
【補正対象書類名】明細書
【補正対象項目名】全文
【補正方法】変更
【補正の内容】
【発明の詳細な説明】
【技術分野】
【０００１】
本発明は衣服と装身具分野に関わり、具体的にはＴシャツアイロンかけ装置である。
【背景技術】
【０００２】
Ｔシャツはよくある服であり、Ｔシャツを常に換えてクリーニングする必要があり、したがってＴシャツにしわが出て、この時にＴシャツにアイロンをかける必要があり、Ｔシャツの材質が異なることにより、アイロンをかける方式も異なり、そのため、二種類のアイロンかけ方式を備えるＴシャツアイロンかけ装置を設計する必要があり、本装置は加熱と蒸気を利用してアイロンをかける二つの方式でＴシャツにアイロンかけをし、また加熱を利用しアイロンをかけることはアイロン台の温度を変えられ、Ｔシャツを壊すことを回避でき、その他、複数の服に同時にアイロンをかけることもでき、アイロンかけの効率と品質を高める。
【先行技術文献】
【特許文献】
【０００３】
【特許文献１】中国特許出願公開第１０８６４２８３９号明細書
【発明の概要】
【発明が解決しようとする課題】
【０００４】
本発明の解決しようとする問題はＴシャツアイロンかけ装置を提供し、既存技術にある上記欠点を解決する。
【課題を解決するための手段】
【０００５】
本発明は以下の技術方案により実現される：本発明のＴシャツアイロンかけ装置は、主体を含み、前記主体の中にはエネルギー転換装置と動力装置とが設置され、前記エネルギー転換装置の下端には加熱アイロンかけ装置と蒸気アイロンかけ装置とが連結され、前記動力装置は下方に開口して前記主体の中に設置されるスライドチャンバを含み、前記スライドチャンバの中にはねじロッドが回転できるように設置され、前記スライドチャンバの左側内壁の中にはモータが固定的に設置され、前記モータが前記ねじロッドに動力が伝達できるように連結され、前記スライドチャンバの中にはスライドブロックがスライドできるように設置され、前記スライドブロックの中にはねじ穴が左右に貫通して設置され、前記ねじロッドが前記ねじ穴を通して前記ねじ穴とねじ山によって連結され、前記スライドブロックの中には電池が固定的に設置され、前記電池の左右両端にはそれぞれ導電ロッドが電気的に接続され、前記スライドブロックの中には開口方向が逆である連結溝が左右に対称的に設置され、両側の前記導電ロッドがそれぞれ前記連結溝の中に差し込み、前記スライドチャンバの上側内壁にはリミットブロックが左右に対称的に固定的に設置されており、
前記導電ロッドと前記連結溝とが前記エネルギー転換装置と連結し、且つ前記エネルギー転換装置を通電させ、それと同時に前記モータを起動し、前記ねじロッドにより前記スライドブロックを連動させスライドさせ、前記スライドブロックが前記リミットブロックと接触する時、前記モータの回転方向を変える。
【０００６】
さらなる技術方案には、前記エネルギー転換装置は前記スライドブロックの両側に左右に対称的にスライドできるように設置される取り付けブロックを含み、前記取り付けブロックの中には抜き穴が左右に貫通して設置され、前記ねじロッドが前記抜き穴を通し、前記抜き穴のうち中心に近接する端面の中には導電ブロックが固定的に設置され、前記導電ブロックが前記導電ロッドに正対し、両側の前記導電ブロックの中には導電穴が開口が相対して設置され、両側の前記取り付けブロックの中には紐溝が下方に開口して設置され、前記紐溝の他の側が前記導電ブロックに連通し、前記紐溝の中には導線輪が回転できるように設置され、前記導線輪には電線が巻き付いており、前記電線の一端が前記導電ブロックに電気的に接続され、前記電線の下端が前記加熱アイロンかけ装置と前記蒸気アイロンかけ装置に電気的に接続され、前記スライドチャンバの左右両側の内壁には固定ブロックが対称的に固定的に連結されており、
前記取り付けブロックをスライドさせ、前記導電ロッドに前記導電穴の中に差し込ませ、且つ前記導電ブロックと電気的に接続させ、この時に前記電線を通電させる。
【０００７】
さらなる技術方案には、前記蒸気アイロンかけ装置は右側の前記取り付けブロックの下端に固定的に連結される貯水ブロックを含み、前記貯水ブロックの中には貯水チャンバが上方に開口して設置され、前記貯水チャンバの内壁には加熱ブロックが固定的に設置され、右側の前記電線の下端が前記加熱ブロックに電気的に接続され、前記加熱ブロックと前記貯水ブロックの中の下側には水通し穴が上下に貫通し設置され、前記貯水ブロックの下端には右連結ロッドが固定的に連結され、前記右連結ロッドの中にはエアガイド溝が上下に貫通して設置され、前記エアガイド溝の中の上側には密封ブロックがスライドできるように設置され、前記エアガイド溝の左右両側の内壁の中にはリセットチャンバが対称的に連通し設置され、前記リセットチャンバの中にはリセットブロックがスライドできるように設置され、前記リセットブロックが前記密封ブロックに固定的に連結され、前記リセットブロックの下端と前記リセットチャンバの下側内壁との間には戻しばねが固定的に連結され、前記右連結ロッドの下側には右ガイドブロックがスライドできるように連結され、前記右ガイドブロックの中には右ガイド穴が上方に開口して設置され、前記右連結ロッドの下端が前記右ガイド穴の中に延びて差し込まれ、前記右連結ロッドの下端と前記右ガイド穴の下側内壁との間には右ばねが固定的に連結され、前記右ガイドブロックの下端にはスチームアイロンが固定的に連結され、前記スチームアイロンの中には蒸気排出道が上下に貫通し設置され、前記蒸気排出道が上へ前記右ガイド穴に連通し、前記スチームアイロンの下端にはスチームアイロン台が固定的に連結されており、
前記エネルギー転換装置により前記加熱ブロックが通電し、且つ前記貯水チャンバの中の水が蒸発し、圧力を増大した後に前記密封ブロックをプッシュし下へスライドさせ、それにより前記水通し穴と前記エアガイド溝とを連通し、蒸気が前記エアガイド溝の中に入り、且つ前記スチームアイロン台によりＴシャツに蒸気を利用しアイロンをかける。
【０００８】
さらなる技術方案には、前記加熱アイロンかけ装置は左側の前記取り付けブロックの下端に固定的に連結される左連結ロッドを含み、前記紐溝が前記左連結ロッドを貫通し、前記左連結ロッドの下側には左ガイドブロックがスライドできるように連結され、前記左ガイドブロックの中には左ガイド穴が上方に開口して設置され、前記左連結ロッドが前記左ガイド穴の中に差し込まれ、前記左連結ロッドの下端と前記左ガイド穴の下側内壁との間には左ばねが固定的に連結され、前記左ガイドブロックの下端には加熱アイロンが固定的に連結され、前記加熱アイロンの中には伝送ベルトチャンバが下方に開口して設置され、前記紐溝の下側が前記伝送ベルトチャンバに連通し、前記伝送ベルトチャンバの中には右プーリと左プーリとが回転できるように設置され、前記右プーリと前記左プーリとの間には伝送ベルトが連結され、前記伝送ベルトには上熱伝導ブロックが固定的に連結され、前記電線の下端が前記伝送ベルトチャンバの中に差し込まれ、且つ前記上熱伝導ブロックに電気的に接続され、前記加熱アイロンの下端には加熱アイロン台が固定的に連結され、前記加熱アイロン台の上端面の中には下熱伝導ブロックが固定的に設置され、前記上熱伝導ブロックの下端が前記下熱伝導ブロックに当接し、前記左プーリの中には下連結軸が固定的に連結され、前記左プーリの前側には下プーリが回転できるように設置され、前記下プーリが前記下連結軸に固定的に連結され、前記伝送ベルトチャンバの上側内壁の中には上方に開口した調節チャンバが連通し設置され、前記調節チャンバの中には調節輪と上プーリとが回転できるように設置され、前記下プーリと前記上プーリとの間には同期ベルトが連結され、前記調節輪と前記上プーリとの間には上連結軸が固定的に連結されており、
前記電線により前記上熱伝導ブロックを通電させ、前記調節輪を回転させ、ベルト伝動により前記上熱伝導ブロックと前記下熱伝導ブロックとの間の接触面積を調整し、それにより前記加熱アイロン台を加熱することによりＴシャツに加熱を利用しアイロンをかける。
【０００９】
さらなる技術方案には、前記主体の中には回転軸が回転できるように設置され、前記回転軸には物干し桶が固定的に連結されており、
Ｔシャツを前記物干し桶に置き、前記物干し桶を回転させてＴシャツに全般にアイロンをかけることができる。
【発明の効果】
【００１０】
本発明の有益な効果は：本発明は構造が簡単で、操作が便利であり、加熱と蒸気を利用してアイロンをかける二つの方式によりＴシャツにアイロンをかけることができ、また加熱を利用しアイロンをかけることはアイロン台の温度を変えられ、Ｔシャツを壊すことを回避でき、その他、複数の衣服に同時にアイロンをかけることもでき、アイロンかけの効率と品質を高める。
【図面の簡単な説明】
【００１１】
【図１】図１は本発明のＴシャツアイロンかけ装置の内部構成概略図
【図２】図２は図１の「Ａ」の拡大概略図
【図３】図３は図１の「Ｂ」の拡大概略図
【図４】図４は図１の「Ｃ」の拡大概略図
【図５】図５は図１の「Ｄ」の拡大概略図
【図６】図６は図４の「Ｅ−Ｅ」方向の構成概略図
【発明を実施するための形態】
【００１２】
下記に図１−６を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１３】
図１−６を参照し、本発明のＴシャツアイロンかけ装置は、主体１１を含み、前記主体１１の中にはエネルギー転換装置１０２と動力装置１０３とが設置され、前記エネルギー転換装置１０２の下端には加熱アイロンかけ装置１００と蒸気アイロンかけ装置１０１とが連結され、前記動力装置１０３は下方に開口して前記主体１１の中に設置されるスライドチャンバ１４を含み、前記スライドチャンバ１４の中にはねじロッド１６が回転できるように設置され、前記スライドチャンバ１４の左側内壁の中にはモータ１２が固定的に設置され、前記モータ１２が前記ねじロッド１６に動力が伝達できるように連結され、前記スライドチャンバ１４の中にはスライドブロック１５がスライドできるように設置され、前記スライドブロック１５の中にはねじ穴２０が左右に貫通して設置され、前記ねじロッド１６が前記ねじ穴２０を通して前記ねじ穴２０とねじ山によって連結され、前記スライドブロック１５の中には電池１８が固定的に設置され、前記電池１８の左右両端にはそれぞれ導電ロッド１９が電気的に接続され、前記スライドブロック１５の中には開口方向が逆である連結溝１７が左右に対称的に設置され、両側の前記導電ロッド１９がそれぞれ前記連結溝１７の中に差し込み、前記スライドチャンバ１４の上側内壁にはリミットブロック１３が左右に対称的に固定的に設置されており、
前記導電ロッド１９と前記連結溝１７とが前記エネルギー転換装置１０２と連結し、且つ前記エネルギー転換装置１０２を通電させ、それと同時に前記モータ１２を起動し、前記ねじロッド１６により前記スライドブロック１５を連動させスライドさせ、前記スライドブロック１５が前記リミットブロック１３と接触する時、前記モータ１２の回転方向を変える。
【００１４】
有益なように、前記エネルギー転換装置１０２は前記スライドブロック１５の両側に左右に対称的にスライドできるように設置される取り付けブロック２５を含み、前記取り付けブロック２５の中には抜き穴３１が左右に貫通して設置され、前記ねじロッド１６が前記抜き穴３１を通し、前記抜き穴３１のうち中心に近接する端面の中には導電ブロック２９が固定的に設置され、前記導電ブロック２９が前記導電ロッド１９に正対し、両側の前記導電ブロック２９の中には導電穴３０が開口が相対して設置され、両側の前記取り付けブロック２５の中には紐溝２８が下方に開口して設置され、前記紐溝２８の他の側が前記導電ブロック２９に連通し、前記紐溝２８の中には導線輪２７が回転できるように設置され、前記導線輪２７には電線２６が巻き付いており、前記電線２６の一端が前記導電ブロック２９に電気的に接続され、前記電線２６の下端が前記加熱アイロンかけ装置１００と前記蒸気アイロンかけ装置１０１に電気的に接続され、前記スライドチャンバ１４の左右両側の内壁には固定ブロック２３が対称的に固定的に連結されており、
前記取り付けブロック２５をスライドさせ、前記導電ロッド１９に前記導電穴３０の中に差し込ませ、且つ前記導電ブロック２９と電気的に接続させ、この時に前記電線２６を通電させる。
【００１５】
有益なように、前記蒸気アイロンかけ装置１０１は右側の前記取り付けブロック２５の下端に固定的に連結される貯水ブロック３３を含み、前記貯水ブロック３３の中には貯水チャンバ３５が上方に開口して設置され、前記貯水チャンバ３５の内壁には加熱ブロック３４が固定的に設置され、右側の前記電線２６の下端が前記加熱ブロック３４に電気的に接続され、前記加熱ブロック３４と前記貯水ブロック３３の中の下側には水通し穴３６が上下に貫通し設置され、前記貯水ブロック３３の下端には右連結ロッド３７が固定的に連結され、前記右連結ロッド３７の中にはエアガイド溝３８が上下に貫通して設置され、前記エアガイド溝３８の中の上側には密封ブロック３９がスライドできるように設置され、前記エアガイド溝３８の左右両側の内壁の中にはリセットチャンバ４０が対称的に連通し設置され、前記リセットチャンバ４０の中にはリセットブロック４１がスライドできるように設置され、前記リセットブロック４１が前記密封ブロック３９に固定的に連結され、前記リセットブロック４１の下端と前記リセットチャンバ４０の下側内壁との間には戻しばね４２が固定的に連結され、前記右連結ロッド３７の下側には右ガイドブロック６１がスライドできるように連結され、前記右ガイドブロック６１の中には右ガイド穴６２が上方に開口して設置され、前記右連結ロッド３７の下端が前記右ガイド穴６２の中に延びて差し込まれ、前記右連結ロッド３７の下端と前記右ガイド穴６２の下側内壁との間には右ばね６３が固定的に連結され、前記右ガイドブロック６１の下端にはスチームアイロン６５が固定的に連結され、前記スチームアイロン６５の中には蒸気排出道６４が上下に貫通し設置され、前記蒸気排出道６４が上へ前記右ガイド穴６２に連通し、前記スチームアイロン６５の下端にはスチームアイロン台６６が固定的に連結されており、
前記エネルギー転換装置１０２により前記加熱ブロック３４が通電し、且つ前記貯水チャンバ３５の中の水が蒸発し、圧力を増大した後に前記密封ブロック３９をプッシュし下へスライドさせ、それにより前記水通し穴３６と前記エアガイド溝３８とを連通し、蒸気が前記エアガイド溝３８の中に入り、且つ前記スチームアイロン台６６によりＴシャツに蒸気を利用しアイロンをかける。
【００１６】
有益なように、前記加熱アイロンかけ装置１００は左側の前記取り付けブロック２５の下端に固定的に連結される左連結ロッド３２を含み、前記紐溝２８が前記左連結ロッドを貫通し、前記左連結ロッド３２の下側には左ガイドブロック４３がスライドできるように連結され、前記左ガイドブロック４３の中には左ガイド穴４４が上方に開口して設置され、前記左連結ロッド３２が前記左ガイド穴４４の中に差し込まれ、前記左連結ロッド３２の下端と前記左ガイド穴４４の下側内壁との間には左ばね４５が固定的に連結され、前記左ガイドブロック４３の下端には加熱アイロン４７が固定的に連結され、前記加熱アイロン４７の中には伝送ベルトチャンバ４８が下方に開口して設置され、前記紐溝２８の下側が前記伝送ベルトチャンバ４８に連通し、前記伝送ベルトチャンバ４８の中には右プーリ５１と左プーリ６７とが回転できるように設置され、前記右プーリ５１と前記左プーリ６７との間には伝送ベルト５３が連結され、前記伝送ベルト５３には上熱伝導ブロック５２が固定的に連結され、前記電線２６の下端が前記伝送ベルトチャンバ４８の中に差し込まれ、且つ前記上熱伝導ブロック５２に電気的に接続され、前記加熱アイロン４７の下端には加熱アイロン台５０が固定的に連結され、前記加熱アイロン台５０の上端面の中には下熱伝導ブロック４９が固定的に設置され、前記上熱伝導ブロック５２の下端が前記下熱伝導ブロック４９に当接し、前記左プーリ６７の中には下連結軸５５が固定的に連結され、前記左プーリ６７の前側には下プーリ５４が回転できるように設置され、前記下プーリ５４が前記下連結軸５５に固定的に連結され、前記伝送ベルトチャンバ４８の上側内壁の中には上方に開口した調節チャンバ６０が連通し設置され、前記調節チャンバ６０の中には調節輪５９と上プーリ５８とが回転できるように設置され、前記下プーリ５４と前記上プーリ５８との間には同期ベルト５６が連結され、前記調節輪５９と前記上プーリ５８との間には上連結軸５７が固定的に連結されており、
前記電線２６により前記上熱伝導ブロック５２を通電させ、前記調節輪５９を回転させ、ベルト伝動により前記上熱伝導ブロック５２と前記下熱伝導ブロック４９との間の接触面積を調整し、それにより前記加熱アイロン台５０を加熱することによりＴシャツに加熱を利用しアイロンをかける。
【００１７】
有益なように、前記主体１１の中には回転軸２１が回転できるように設置され、前記回転軸２１には物干し桶２２が固定的に連結されており、
Ｔシャツを前記物干し桶２２に置き、前記物干し桶２２を回転させてＴシャツに全般にアイロンをかけることができる。
【００１８】
使用する時、Ｔシャツを物干し桶２２に置き、物干し桶２２を回転させてＴシャツに全般にアイロンをかけることができ、Ｔシャツの材質により対応の側の取り付けブロック２５をスライドさせ、それと同時に両側の取り付けブロック２５をスライドさせることもでき、導電ロッド１９が導電穴３０の中に入り、且つ導電ブロック２９と電気的に接続され、この時に電線２６を通電させ、それと同時にモータ１２を起動し、ねじロッド１６によりスライドブロック１５を連動させスライドさせ、スライドブロック１５がリミットブロック１３と接触する時、モータ１２の回転方向を変え、蒸気を利用してアイロンをかける時に電線２６により加熱ブロック３４を通電させ、また貯水チャンバ３５の中の水を蒸発させ、圧力を増大した後に密封ブロック３９をプッシュして下へスライドさせ、それにより水通し穴３６とエアガイド溝３８とを連通し、蒸気がエアガイド溝３８の中に入り、且つスチームアイロン台６６によりＴシャツにアイロンをかけ、アイロンをかける時に電線２６により上熱ガイドブロック５２を通電させ、調節輪５９を回転させ、ベルト伝動により前記上熱伝導ブロック５２と前記下熱伝導ブロック４９との間の接触面積を調整し、それにより前記加熱アイロン台５０を加熱することによりＴシャツに加熱を利用しアイロンをかける。
【００１９】
有益な効果は：本発明は構造が簡単で、操作が便利であり、加熱と蒸気を利用してアイロンをかける二つの方式によりＴシャツにアイロンをかけることができ、また加熱を利用しアイロンをかけることはアイロン台の温度を変えられ、Ｔシャツを壊すことを回避でき、その他、複数の衣服に同時にアイロンをかけることもでき、アイロンかけの効率と品質を高める。
【００２０】
当業者は明確できるのは、本発明の総体精神及び構想から離脱しない限り、以上の実施例に対して各種の変型を行うことができる。それらの変型はいずれも本発明の保護範囲に含む。本発明の保護方案は発明に添付した特許請求の範囲を基準とするべきである。